(57)【要約】【課題】  表示装置を構成する表示ユニットを交換した時に、輝度の変換データや色度の変換データを全て書き換えなくても、表示装置の色調を再調整できるようにする。また、複数個の表示ユニットを組み合わせて表示モジュールを構成する場合に、表示モジュールを構成する全ての発光素子に対する輝度及び色度の調整を容易にする。【解決手段】  表示モジュール全体の輝度及び色度を変換する第１の色変換手段（２２）と、色変換後の画像データの階調特性を変換する階調変換手段（２４）とを備え、表示ユニット内に、階調特性をもとに戻す逆階調変換手段（３２）と、輝度及び色度を変換する第２の色変換手段（３２）とを備える。【選択図】        図１
2006292806.tif 000002
【特許請求の範囲】
【請求項１】
複数個の表示ユニットが配列されて表示モジュールを構成する表示装置であって、
前記表示ユニットの表示特性情報に基づいて表示ユニット毎に求められ、表示ユニット間に発生する色のばらつきをなくすことを目的とした第１の色変換用のパラメータを含む情報を格納する第１の記憶手段と、
画像データ及び前記第１の色変換用のパラメータを取得し、前記画像データを前記第１の色変換用のパラメータに基づいて色変換して、第１の色変換後の画像データを出力する第１の色変換手段と、
前記第１の色変換後の画像データを取得し、前記第１の色変換後の画像データの階調特性を変換して、階調変換後の画像データを出力する階調変換手段とを備え、
前記表示ユニットの各々が、
複数の色調の発光素子が画素毎に配置されている発光部と、
前記発光素子の色彩特性情報に基づいて画素毎に求められ、表示ユニット内部に発生する色のばらつきをなくすことを目的とした第２の色変換用のパラメータを含む情報を格納する第２の記憶手段と、
前記階調変換後の画像データを取得し、前記階調変換後の画像データにかかっている階調変換を元に戻すように逆階調変換して、逆階調変換後の画像データを出力する逆階調変換手段と、
前記逆階調変換後の画像データ及び前記第２の色変換用のパラメータを取得し、逆階調変換後の画像データを前記第２の色変換用のパラメータに基づいて色変換する第２の色変換手段と
を備えることを特徴とする表示装置。
【請求項２】
前記第１の色変換用のパラメータが、表示ユニット間に発生する輝度及び色度のばらつきをなくすことを目的としたものであり、
前記第１の色変換手段が、前記パラメータに基いて前記色変換として、輝度および色度の変換を行うことを特徴とする請求項１に記載の表示装置。
【請求項３】
前記第２の色変換用のパラメータが、表示ユニット内部に発生する輝度及び色度のばらつきをなくすことを目的としたものであり、
前記第２の色変換手段が、前記第２の色変換のパラメータに基いて、輝度および色度の変換を行う
ことを特徴とする請求項１又は２に記載の表示装置。
【請求項４】
前記第２の色変換用のパラメータが、表示ユニット内部に発生する輝度のばらつきをなくすことを目的としたものであり、
前記第２の色変換手段が、前記第２の色変換のパラメータに基いて、輝度の変換を行う
ことを特徴とする請求項１又は２に記載の表示装置。
【請求項５】
表示モジュールが複数個の第１段の表示ユニットの配列により構成され、
第ｎ段（ｎは、１≦ｎ≦Ｎ−１を満たす整数。ここで、Ｎは２以上の整数）の表示ユニットが複数個の第（ｎ＋１）段の表示ユニットの配列により構成され、
前記第１段の表示ユニットの表示特性情報に基づいて前記第１段の表示ユニット毎に求められ、前記第１段の表示ユニット間に発生する色のばらつきをなくすことを目的とした第１の色変換用のパラメータを含む情報を格納する第１の記憶手段と、
画像データ及び前記第１の色変換用のパラメータを取得し、前記画像データを前記第１の色変換用のパラメータに基づいて色変換して、第１の色変換後の画像データを出力する第１の色変換手段と、
前記第１の色変換後の画像データを取得し、前記第１の色変換後の画像データの階調特性を変換して、階調変換後の画像データを出力する第１の階調変換手段とを備え、
前記第ｎ段の表示ユニットの各々が、
前記第（ｎ＋１）段の表示ユニットの表示特性情報に基づいて第（ｎ＋１）段の表示ユニット毎に求められ、第（ｎ＋１）段の表示ユニット間に発生する色のばらつきをなくすことを目的とした第（ｎ＋１）の色変換用のパラメータを含む情報を格納する第（ｎ＋１）の記憶手段と、
前記第ｎの階調変換後の画像データを取得し、前記第ｎの階調変換後の画像データにかかっている階調変換を元に戻すように逆階調変換して、第ｎの逆階調変換後の画像データを出力する第ｎの逆階調変換手段と、
第ｎの逆階調変換後の画像データ及び前記第（ｎ＋１）の色変換用のパラメータを取得し、第ｎの逆階調変換後の画像データを前記第（ｎ＋１）の色変換用のパラメータに基づいて色変換して第（ｎ＋１）の色変換後の画像データを出力する第（ｎ＋１）の色変換手段と、
前記第（ｎ＋１）の色変換後の画像データを取得し、前記第（ｎ＋１）の色変換後の画像データの階調特性を変換して、第（ｎ＋１）の階調変換後の画像データを出力する第（ｎ＋１）の階調変換手段とを備え、
前記第Ｎ段の表示ユニットの各々が、
複数の色調の発光素子が画素毎に配置されている発光部と、
前記発光素子の色彩特性情報に基づいて画素毎に求められ、第Ｎ段の表示ユニット内部に発生する色のばらつきをなくすことを目的とした第（Ｎ＋１）の色変換用のパラメータを含む情報を格納する第（Ｎ＋１）の記憶手段と、
第Ｎの階調変換後の画像データを取得し、前記第Ｎの階調変換後の画像データにかかっている階調変換を元に戻すように逆階調変換して、第Ｎの逆階調変換後の画像データを出力する第Ｎの逆階調変換手段と、
第Ｎの逆階調変換後の画像データ及び前記第（Ｎ＋１）の色変換用のパラメータを取得し、第Ｎの逆階調変換後の画像データを前記第（Ｎ＋１）の色変換用のパラメータに基づいて色変換する第（Ｎ＋１）の色変換手段と
を備えることを特徴とする表示装置。
【請求項６】
前記第１の色変換用のパラメータが、前記第１段の表示ユニット間に発生する輝度及び色度のばらつきをなくすことを目的としたものであり、
前記第１の色変換手段が、前記第１の色変換用のパラメータに基づいて輝度および色度の変換を行う
ことを特徴とする請求項５に記載の表示装置。
【請求項７】
前記第（ｎ＋１）の色変換用のパラメータが、前記第（ｎ＋１）段の表示ユニット間に発生する輝度及び色度のばらつきをなくすことを目的としたものであり、
前記第（ｎ＋１）の色変換手段が、前記第（ｎ＋１）の色変換用のパラメータに基づいて輝度および色度の変換を行い、
前記第（Ｎ＋１）の色変換用のパラメータが、前記第Ｎ段の表示ユニット内部に発生する輝度及び色度のばらつきをなくすことを目的としたものであり、
前記第（Ｎ＋１）の色変換手段が、前記第（Ｎ＋１）の色変換用のパラメータに基いて、輝度及び色度の変換を行う
ことを特徴とする請求項５又は６に記載の表示装置。
【請求項８】
前記第（ｎ＋１）の色変換用のパラメータが、前記第（ｎ＋１）段の表示ユニット間に発生する輝度のばらつきをなくすことを目的としたものであり、
前記第（ｎ＋１）の色変換手段が、前記第（ｎ＋１）の色変換用のパラメータに基づいて輝度の変換を行い、
前記第（Ｎ＋１）の色変換用のパラメータが、前記第Ｎ段の表示ユニット内部に発生する輝度のばらつきをなくすことを目的としたものであり、
前記第（Ｎ＋１）の色変換手段が、前記第（Ｎ＋１）の色変換用のパラメータに基いて、輝度の変換を行う
ことを特徴とする請求項５又は６に記載の表示装置。
【発明の詳細な説明】
【技術分野】
【０００１】
この発明は、複数の表示ユニットで以て画面ないしは表示部（表示モジュール）が構成される表示装置に関し、特に上記表示部全体の色調を均一化する技術に関する。
【背景技術】
【０００２】
従来の表示装置では、画素毎の色度を均一にするために、色調を補正したい発光素子に供給されている補正電流の一部を、同じ画素内の他のいずれか１つの発光素子に切り替えて供給するようにしている（例えば特許文献１参照）。
【０００３】
【特許文献１】特開２００３−９９００３号公報（図３）
【発明の開示】
【発明が解決しようとする課題】
【０００４】
このような表示装置にあっては、表示装置を構成する発光素子の１つが故障したり劣化したりした際に、表示装置を構成する表示ユニットを新品と交換して再度表示装置全体の色調を調整しなくてはならない時に、表示装置を構成する発光素子の全てに対する調整を行う必要がある。そのために、輝度の変換データや色度の変換データを全て書き換えなくてはならないという問題点があった。
【０００５】
また、複数個の表示ユニットを組み合わせて表示モジュールを構成する場合に、表示モジュールを構成する全ての発光素子に対して輝度及び色度を調整する必要があるので、調整が困難になるという問題点があった。
【０００６】
この発明は、上記のような問題点を解決するためになされたものであり、表示ユニットを交換した時に、輝度の変換データや色度の変換データを全て書き換えなくても、表示装置の色調を再調整できるようにすることを第一の目的としている。
【０００７】
さらに、この発明は、複数個の表示ユニットを組み合わせて表示モジュールを構成する場合に、表示モジュールを構成する全ての発光素子に対する輝度及び色度の調整を容易にすることを第二の目的としている。
【課題を解決するための手段】
【０００８】
本発明は、複数個の表示ユニットが配列されて表示モジュールを構成する表示装置であって、前記表示ユニットの表示特性情報に基づいて表示ユニット毎に求められ、表示ユニット間に発生する色のばらつきをなくすことを目的とした第１の色変換用のパラメータを含む情報を格納する第１の記憶手段と、画像データ及び前記第１の色変換用のパラメータを取得し、前記画像データを前記第１の色変換用のパラメータに基づいて色変換して、第１の色変換後の画像データを出力する第１の色変換手段と、前記第１の色変換後の画像データを取得し、前記第１の色変換後の画像データの階調特性を変換して、階調変換後の画像データを出力する階調変換手段とを備え、前記表示ユニットの各々が、複数の色調の発光素子が画素毎に配置されている発光部と、前記発光素子の色彩特性情報に基づいて画素毎に求められ、表示ユニット内部に発生する色のばらつきをなくすことを目的とした第２の色変換用のパラメータを含む情報を格納する第２の記憶手段と、前記階調変換後の画像データを取得し、前記階調変換後の画像データにかかっている階調変換を元に戻すように逆階調変換して、逆階調変換後の画像データを出力する逆階調変換手段と、前記逆階調変換後の画像データ及び前記第２の色変換用のパラメータを取得し、逆階調変換後の画像データを前記第２の色変換用のパラメータに基づいて色変換する第２の色変換手段とを備えることを特徴とする表示装置を提供する。
【発明の効果】
【０００９】
本発明によれば、表示モジュールに対して第１の色変換手段を備え、表示ユニット内に第２の色変換手段を備えることにより、表示ユニットを交換した時に、第１の色変換パラメータと、交換した表示ユニットに備えられた第２の色変換パラメータを書き換えるだけで、表示装置の色調を再調整できる。
また、第１の色変換手段の後に階調変換手段を備え、第２の色変換手段の前に逆階調変換手段を備えることにより、画像データを第１の色変換手段から表示ユニットへ伝送させる際に、画像データの信号値の低い部分の画質を下げることなく、画像データの伝送容量を少なくすることが可能になる。
【発明を実施するための最良の形態】
【００１０】
以下図面を参照して本発明の実施の形態を説明する。
【００１１】
実施の形態１．
（Ａ）  表示装置１０００の構成
図１は本発明の実施の形態１の表示装置１０００を示す模式的な構成図である。
図１に示される表示装置１０００は、表示モジュール２０と、表示モジュール２０の外部に配置された画像データ生成部１０とを備える。
【００１２】
表示モジュール２０は、例えばマトリックス状に配置された表示ユニット３０ａ〜３０ｉと、表示ユニット３０ａ〜３０ｉの外部に配置された画像データ受信部２１と、第１の色変換手段２２と、第１の記憶手段２３と、階調変換手段２４と、画像データ送信部２５とを備える。
【００１３】
図示の例では、９個の表示ユニット３０ａ〜３０ｉが３行３列のマトリクスをなすように配列されているが、行数、列数はそれぞれ３以外であっても良く、互いに異なっていても良い。
【００１４】
表示ユニット３０ａ〜３０ｉの各々は、互いに同様の構成を有し、図２に示されるように、画像データ受信部３１と、逆階調変換手段３２と、第２の色変換手段３３と、第２の記憶手段３４と、画像データ変換部３５と、駆動部３６と、発光部３７とを備える。
【００１５】
発光部３６は、マトリクス状に配列された複数の画素が成り、各画素が複数の互いに異なる色調の発光素子から成る。各画素は例えば、１個の赤色の発光素子と、１個の緑色の発光素子と、１個の青色の発光素子とから成る。各発光素子は例えば発光ダイオード（ＬＥＤ）で構成される。なお、上記のように、各画素が複数の発光素子からなる構成とする代わりに、各画素が一つの発光素子からなる構成の場合にも本発明を適用することができる。
【００１６】
図３に、赤色、緑色及び青色の色調の発光ダイオードＬＲ、ＬＧ、ＬＢで構成された画素ＰＸの一例を示す。
図示の画素が複数個、例えばマトリクス状に配置され、各画素の各色のＬＥＤに流す電流を調整することにより、各画素に所望の色を表示させている。
【００１７】
図１に示される第１の色変換手段２２は、表示ユニット３０ａ〜３０ｉ相互間に発生する輝度及び色度のばらつきをなくすことを目的とした、輝度及び色度の変換を行うものであり、第１の記憶手段２３には、第１の色変換手段２２で行う色変換（輝度及び色度の変換）のためのパラメータ（第１の輝度色度変換パラメータ）Ｐ１を含む情報が格納されている。第１の色変換用のパラメータＰ１は、表示ユニット３０ａ〜３０ｉ相互間に発生する輝度及び色度のばらつきをなくすことを目的としたもので、表示ユニット３０〜３０ｉの表示特性情報に基づいて表示ユニット毎に求められたものである。
図２に示される第２の色変換手段３３は、表示ユニット３０ａ〜３０ｉの各々の内部に発生する輝度及び色度のばらつきをなくすことを目的とした、輝度及び色度の変換を行うものであり、第２の記憶手段３４には、第２の色変換手段３３で行う色変換（輝度及び色度の変換）のためのパラメータ（第２の輝度色度変換パラメータ）Ｐ２を含む情報が格納されている。第２の輝度色度変換パラメータＰ２は、表示ユニット３０ａ〜３０ｉの各々の内部に発生する輝度及び色度のばらつきをなくすことを目的とし、発光素子の色彩特性情報に基づいて画素毎に求められたものである。
【００１８】
画像データ受信部２１は、画像データ生成部１０から伝送ライン１０Ｌを介して供給される画像データＤを受信して第１の色変換手段２２へ受け渡し、これとともに、画像データ受信部２１内で生成した表示ユニットの機器番号Ｉ１を第１の記憶手段２３に送信する。
第１の色変換手段２２は、輝度に対して線形な画像データＤと共に第１の記憶手段２３が送信する表示ユニットの機器番号Ｉ１とそれに対応する第１の輝度色度変換パラメータＰ１を受信する。そして、第１の輝度色度変換パラメータＰ１に基づいて画像データＤの輝度及び色度を変換し、変換後の画像データ（「第１の色変換後の画像データ」と言うことがある）Ｄ１と表示ユニットの機器番号Ｉ１を階調変換手段２４に出力する。
階調変換手段２４は、画像データＤ１の階調特性を変換し、階調変換後の画像データ（「第１の階調変換後の画像データ」と言うことがある）Ｄ２を表示ユニットの機器番号Ｉ１と共に画像データ送信部２５に出力する。
画像データ送信部２５は、階調変換後の画像データＤ２を、表示ユニット３０ａ〜３０ｉの中で、表示ユニットの機器番号Ｉ１に該当するものに送信する。
第１の輝度色度変換パラメータＰ１を用いて画像データＤを画像データＤ１に変換することで、画像データＤを表示モジュール２０に出力させた時に表示ユニット３０ａ〜３０ｉ間で発生する輝度及び色度のばらつきをなくすことができる。なお、第１の記憶手段２３に記憶されている第１の輝度色度変換パラメータＰ１は、表示ユニットの機器番号Ｉ１によって切り替えられるような構成になっている。
【００１９】
機器番号Ｉ１に該当する表示ユニット（３０ａ〜３０ｉのいずれか）内部の画像データ受信部３１は、画像データＤ２を受信して逆階調変換手段３２へ受け渡し、これとともに、画像データ受信部３１内で発生した発光部３７の素子番号Ｋ２を第２の記憶手段３４に送信する。逆階調変換手段３２は、階調変換後の画像データＤ２にかかっている階調変換を元に戻すように逆階調変換することで輝度に対して線形な画像データＤ３に変換し、画像データＤ３を第２の色変換手段３３に出力する。
第２の色変換手段３３は、画像データＤ３と共に第２の記憶手段３４が送信する発光部３７の素子番号Ｋ２とそれに対応する第２の輝度色度変換パラメータＰ２を受信する。そして、第２の輝度色度変換パラメータＰ２に基づいて画像データＤ３の輝度及び色度を変換し、変換後の画像データ（「第２の色変換後の画像データ」と言うことがある）Ｄ４と発光部３７の素子番号Ｋ２を出力する。画像データ変換部３５は画像データＤ４と発光部３７の素子番号Ｋ２を受信して、画像データＤ４を発光部３７の表示素子（ここではＬＥＤ）に適した駆動信号Ｄ５に変換し、これと発光部３７の素子番号Ｋ２を出力する。駆動部３６は、駆動信号Ｄ５に基づいて、発光部３７を構成する発光素子の中で発光部３７の素子番号Ｋ２に該当するものを駆動する。
【００２０】
第２の輝度色度変換パラメータＰ２を用いて画像データＤ３を画像データＤ４に変換することで、画像データＤ３を表示ユニット３０ａ〜３０ｉに出力させた時に表示ユニット３０ａ〜３０ｉ内部で発生する輝度及び色度のばらつきをなくすことができる。なお、第２の記憶手段３４に記憶されている第２の輝度色度変換パラメータＰ２は、発光部３７の素子番号Ｋ２毎に切り替えられるような構成になっている。
【００２１】
以上に示したように、表示ユニット３０ａ〜３０ｉの各々に第２の色変換手段３３を備えることにより、表示ユニット３０ａ〜３０ｉのいずれかを交換した時に、第１の輝度色度変換パラメータＰ１と、交換した表示ユニット（３０ａ〜３０ｉのいずれか）に備えられた第２の輝度色度変換パラメータＰ２を書き換えるだけで、表示装置１０００の色調を再調整できる。
【００２２】
（Ａ−１）  画像データ生成部１０の構成
図４に画像データ生成部１０の模式的な構成図を示す。画像データ生成部１０は、アナログ−デジタル変換部（以下「Ａ／Ｄ変換部」とも呼ぶ。また図中では「Ａ／Ｄ」と記す）１１と、画像信号処理部１２と、画像データ送信部１３とを備える。
画像データ生成部１０へ入力されたアナログの画像信号Ｓは、まずＡ／Ｄ変換部１１によりデジタル信号に変換される。そして、デジタル変換後の画像データに対して、画像信号処理部１２が入力信号の特性又は表示ユニット３０ａ〜３０ｉの特性に合わせてγ変換や解像度変換等のデジタル画像処理を行う。その後、画像データ送信部１３は、画像データＤを伝送ライン１０Ｌを介して表示モジュール２０へ送信する。この時、画像データＤは、輝度に対して線形なデータになっている。
【００２３】
（Ｂ）  第１の色変換手段２２における輝度色度変換方法
第１の色変換手段２２では、式（１）に示すように、３×１の行列の形で表された画像データＤを、３×３の行列Ｈ１で変換することで、３×１の行列の形で表された画像データＤ１を導出する。式（１）で、Ｒ０は画像データＤの赤色の信号値であり、Ｇ０は画像データＤの緑色の信号値であり、Ｂ０は画像データＤの青色の信号値であり、Ｒ１は画像データＤ１の赤色の信号値であり、Ｇ１は画像データＤ１の緑色の信号値であり、Ｂ１は画像データＤ１の青色の信号値である。
【００２４】
【数１】
2006292806.tif 000003
【００２５】
（Ｃ）  第１の輝度色度変換パラメータＰ１の設定方法
式（１）で、３×３の行列Ｈ１で画像データを変換するためには、第１の輝度色度変換パラメータＰ１を３×３の行列Ｈ１で表す必要がある。以下、その設定方法について説明する。
【００２６】
３×３の行列Ｈ１は式（２）のように設定される。式（２）で、ＸＲｔａｒｇｅｔ２，ＹＲｔａｒｇｅｔ２，ＺＲｔａｒｇｅｔ２は赤色の表示ユニット３０ａ〜３０ｉ内部のターゲット色の三刺激値であり、ＸＧｔａｒｇｅｔ２，ＹＧｔａｒｇｅｔ２，ＺＧｔａｒｇｅｔ２は緑色の表示ユニット３０ａ〜３０ｉ内部のターゲット色の三刺激値であり、ＸＢｔａｒｇｅｔ２，ＹＢｔａｒｇｅｔ２，ＺＢｔａｒｇｅｔ２は青色の表示ユニット３０ａ〜３０ｉ内部のターゲット色の三刺激値であり、ＸＲｔａｒｇｅｔ１，ＹＲｔａｒｇｅｔ１，ＺＲｔａｒｇｅｔ１は赤色の表示ユニット３０ａ〜３０ｉ間のターゲット色の三刺激値であり、ＸＧｔａｒｇｅｔ１，ＹＧｔａｒｇｅｔ１，ＺＧｔａｒｇｅｔ１は緑色の表示ユニット３０ａ〜３０ｉ間のターゲット色の三刺激値であり、ＸＢｔａｒｇｅｔ１，ＹＢｔａｒｇｅｔ１，ＺＢｔａｒｇｅｔ１は青色の表示ユニット３０ａ〜３０ｉ間のターゲット色の三刺激値である。
なお、表示ユニット３０ａ〜３０ｉ内部のターゲット色、および表示ユニット３０ａ〜３０ｉ間のターゲット色の三刺激値は、発光素子の特性や表示装置の使用目的に応じて任意に設定できる値である。
【００２７】
【数２】
2006292806.tif 000004
【００２８】
表示ユニット３０ａ〜３０ｉ間におけるばらつきをなくすために輝度及び色度の変換をした後に、表示ユニット３０ａ〜３０ｉ内部におけるばらつきをなくすために輝度及び色度の変換をする。このため、式（２）に示すように、３×３の行列Ｈ１は、表示ユニット３０ａ〜３０ｉ内部のターゲット色の三刺激値と表示ユニット３０ａ〜３０ｉ間のターゲット色の三刺激値で構成される。
【００２９】
式（２）で、ＸＲｔａｒｇｅｔ２，ＹＲｔａｒｇｅｔ２，ＺＲｔａｒｇｅｔ２，ＸＧｔａｒｇｅｔ２，ＹＧｔａｒｇｅｔ２，ＺＧｔａｒｇｅｔ２，ＸＢｔａｒｇｅｔ２，ＹＢｔａｒｇｅｔ２，ＺＢｔａｒｇｅｔ２は、表示ユニット３０ａ〜３０ｉ毎に異なる値をとる。このため、第１の輝度色度変換パラメータＰ１は表示ユニット３０ａ〜３０ｉ毎に異なる行列をとるので、表示ユニット３０ａ〜３０ｉ毎に第１の輝度色度変換パラメータＰ１を切り替える必要がある。
【００３０】
また、表示ユニット３０ａ〜３０ｉの中で、一つの表示ユニット（例えば３０ａ）を交換する時に、表示ユニット３０ａ〜３０ｉ間のターゲット色の三刺激値を変えない場合、第１の輝度色度変換パラメータＰ１の中で書き換える必要のある部分は、表示ユニット３０ａの機器番号Ｉ１に対応する部分のみである。
【００３１】
（Ｄ）  階調変換手段２４おける階調変換方法
階調変換手段２４では、式（３）に示すように、輝度に対して線形な画像データＤ１を画像データＤ２に階調変換する。式（３）で、Ｃ１は、画像データＤ１の赤、緑、青各色の信号値であり、Ｃ２は、画像データＤ２の赤、緑、青各色の信号値である。また、式（３）で、ＣＭＡＸは、発光部３７を構成する発光素子の発光量を最大にした時の画像データＤ１の信号値である。
【００３２】
【数３】
2006292806.tif 000005
【００３３】
式（３）に示す変換を行うことで、画像データＤ１の信号値Ｃ１の低い部分と比較して、画像データＤ２の信号値Ｃ２の低い部分で、隣り合う信号値同士の間隔が広がる。これにより、画像データＤ１の信号値Ｃ１の低い部分の画質を下げることなく、画像データＤ２の伝送容量を画像データＤ１よりも少なくすることが可能になる。
【００３４】
（Ｅ）  逆階調変換手段３２における逆階調変換方法
逆階調変換手段３２では、式（４）に示すように、画像データＤ２にかかっている階調変換を元に戻すように逆階調変換することで、輝度に対して線形な画像データＤ３を出力する。式（４）で、Ｃ２は、画像データＤ２の赤、緑、青各色の信号値であり、Ｃ３は、画像データＤ３の赤、緑、青各色の信号値である。また、式（４）で、ＣＭＡＸは、発光部３７を構成する発光素子の発光量を最大にした時の画像データＤ２の信号値である。
【００３５】
【数４】
2006292806.tif 000006
【００３６】
式（４）に示す変換を行うことで、画像データＤ２の信号値Ｃ２の低い部分と比較して、画像データＤ３の信号値Ｃ３の低い部分で、隣り合う信号値同士の間隔が狭まる。これにより、画像データＤ２が画像データ送信部２５から画像データ受信部３１に伝送している時に発生する雑音を低減させることが可能になる。
【００３７】
（Ｆ）  第２の色変換手段３３における輝度色度変換方法
第２の色変換手段３３では、式（５）に示すように、３×１の行列の形で表された画像データＤ３を、３×３の行列Ｈ２で変換することで、３×１の行列の形で表された画像データＤ４を導出する。式（５）で、Ｒ３は画像データＤ３の赤色の信号値であり、Ｇ３は画像データＤ３の緑色の信号値であり、Ｂ３は画像データＤ３の青色の信号値であり、Ｒ４は画像データＤ４の赤色の信号値であり、Ｇ４は画像データＤ４の緑色の信号値であり、Ｂ４は画像データＤ４の青色の信号値である。
【００３８】
【数５】
2006292806.tif 000007
【００３９】
（Ｇ）  第２の輝度色度変換パラメータＰ２の設定方法
式（５）で、３×３の行列Ｈ２で画像データを変換するためには、第２の輝度色度変換パラメータＰ２を３×３の行列Ｈ２で表す必要がある。以下、その設定方法について説明する。
【００４０】
３×３の行列Ｈ２は式（６）のように設定される。式（６）で、ＸＲｍｅａｓ，ＹＲｍｅａｓ，ＺＲｍｅａｓは発光部３７を構成する赤色の発光素子の発光量を最大にして、緑色及び青色の発光素子の発光量をゼロにした場合の三刺激値の測定値であり、ＸＧｍｅａｓ，ＹＧｍｅａｓ，ＺＧｍｅａｓは発光部３７を構成する緑色の発光素子の発光量を最大にして、赤色及び青色の発光素子の発光量をゼロにした場合の三刺激値の測定値であり、ＸＢｍｅａｓ，ＹＢｍｅａｓ，ＺＢｍｅａｓは発光部３７を構成する青色の発光素子の発光量を最大にして、赤色及び緑色の発光素子の発光量をゼロにした場合の三刺激値の測定値であり、ＸＲｔａｒｇｅｔ２，ＹＲｔａｒｇｅｔ２，ＺＲｔａｒｇｅｔ２は赤色の表示ユニット３０ａ〜３０ｉ内部のターゲット色の三刺激値であり、ＸＧｔａｒｇｅｔ２，ＹＧｔａｒｇｅｔ２，ＺＧｔａｒｇｅｔ２は緑色の表示ユニット３０ａ〜３０ｉ内部のターゲット色の三刺激値であり、ＸＢｔａｒｇｅｔ２，ＹＢｔａｒｇｅｔ２，ＺＢｔａｒｇｅｔ２は青色の表示ユニット３０ａ〜３０ｉ内部のターゲット色の三刺激値である。
【００４１】
【数６】
2006292806.tif 000008
【００４２】
式（６）で、ＸＲｍｅａｓ，ＹＲｍｅａｓ，ＺＲｍｅａｓ，ＸＧｍｅａｓ，ＹＧｍｅａｓ，ＺＧｍｅａｓ，ＸＢｍｅａｓ，ＹＢｍｅａｓ，ＺＢｍｅａｓは、発光部３７の素子番号Ｋ２毎に異なる値をとる。このため、第２の輝度色度変換パラメータＰ２は発光部３７の素子番号Ｋ２毎に異なる行列をとるので、発光部３７の素子番号Ｋ２毎に第２の輝度色度変換パラメータＰ２を切り替える必要がある。
【００４３】
このように、表示モジュール２０に対して第１の色変換手段２２を備え、表示ユニット３０ａ〜３０ｉ内に第２の色変換手段３３を備えることにより、表示モジュール２０全体の輝度及び色度を調整でき、表示装置１０００全体として均一な色調の画像を得ることができる。
【００４４】
また、表示ユニット３０ａ〜３０ｉ毎に第２の色変換手段３３を備えることにより、表示ユニット３０ａ〜３０ｉのいずれかを交換した時に、第１の輝度色度変換パラメータＰ１と、交換した表示ユニット（３０ａ〜３０ｉのいずれか）に備えられた第２の輝度色度変換パラメータＰ２を書き換えるだけで、表示装置１０００の色調を再調整できる。
【００４５】
この効果により、例えば、工場や実験室内で交換する表示ユニット（例えば３０ａ）内部の輝度及び色度を調整した上で、表示ユニット（３０ａ）を据え付け場所に持って行き、表示モジュール２０に組み込んでから、表示モジュール２０全体の輝度及び色度を調整することも可能になる。
【００４６】
さらに、複数個の表示ユニット３０ａ〜３０ｉを組み合わせて表示モジュール２０を構成する場合に、第２の色変換手段３２で表示ユニット３０ａ〜３０ｉ毎に輝度及び色度を調整してから、表示ユニット３０ａ〜３０ｉを組み合わせて第１の色変換手段２２で表示モジュール２０全体の輝度及び色度を調整することが可能になり、表示モジュール２０全体の輝度及び色度を一括して調整する時と比較して、表示モジュール２０全体の輝度及び色度の調整が容易になる。
【００４７】
この効果により、例えば、工場や実験室内で表示ユニット３０ａ〜３０ｉ内部の輝度及び色度を調整した上で、表示ユニット３０ａ〜３０ｉを据え付け場所に持って行き、表示モジュール２０を組み立ててから、表示モジュール２０全体の輝度及び色度を調整することも可能になる。
【００４８】
また、発光部３７を構成する画素の個数等、組み合わせる表示ユニット３０ａ〜３０ｉの構成に関わらず、表示モジュール２０全体の輝度及び色度を調整することが容易となる。
【００４９】
さらに、第１の色変換手段２２の後に階調変換手段２４を備え、第２の色変換手段３３の前に逆階調変換手段３２を備えることにより、画像データＤ１の信号値Ｃ１の低い部分の画質を下げることなく、画像データＤ２の伝送容量を画像データＤ１よりも少なくすることが可能になる。
【００５０】
また、第２の色変換手段３３の前に逆階調変換手段３２を備えることにより、画像データＤ２が画像データ送信部２５から画像データ受信部３１に伝送している時に発生する雑音を低減させることが可能になる。
【００５１】
実施の形態２．
実施の形態１の表示装置１０００においては、表示モジュール２０内部に表示ユニット３０ａ〜３０ｉを１段だけ設けて、表示ユニット３０ａ〜３０ｉ内部に第２の色変換手段３３を設けたが、表示ユニットを複数段設けて、各段の表示ユニットに対して色変換手段を設けてもよい。以下、表示ユニットをＮ段（Ｎは２以上の整数）設けると仮定して、その具体的な方法について説明する。なお、以下の説明では、図１の表示装置１０００との相違点を中心に述べるものとし、既述の構成要素と同等の構成要素には同一の符号を付してその説明を援用するに留める。
【００５２】
（Ａ）  表示装置１０００Ｂの構成
図５は本発明の実施の形態２の表示装置１０００Ｂを示す模式的な構成図である。図５に示すように、表示装置１０００Ｂは、表示モジュール２０Ｂと、既述の画像データ生成部１０とを備える。また、表示モジュール２０Ｂは、例えばマトリックス状に配置された第１段の表示ユニット４０ａ〜４０ｉと、既述の画像データ受信部２１と、既述の第１の色変換手段２２と、既述の第１の記憶手段２３と、第１の階調変換手段２４ｂと、既述の画像データ送信部２５とを備える。
【００５３】
第ｎ段（ｎは、１≦ｎ≦Ｎ−１を満たす整数）の表示ユニット５０ａ〜５０ｉの各々は、図６に示すように、例えばマトリックス状に配置された第（ｎ＋１）段の表示ユニット６０ａ〜６０ｉと、既述の画像データ受信部４１と、第ｎの逆階調変換手段４２と、第（ｎ＋１）の色変換手段４３と、第（ｎ＋１）の記憶手段４４と、第（ｎ＋１）の階調変換手段４５と、画像データ送信部４６とを備える。
【００５４】
第Ｎ段の表示ユニット７０ａ〜７０ｉの各々は、図７に示すように、画像データ受信部５１と、第Ｎの逆階調変換手段５２と、第（Ｎ＋１）の色変換手段５３と、第（Ｎ＋１）の記憶手段５４と、画像データ変換部５５と、駆動部５６と、発光部５７を備える。
【００５５】
なお、図示の例では、第１段から第Ｎ段まで表示ユニットがそれぞれ３行３列のマトリクスをなすように配列されているが、行数、列数はそれぞれ３以外であっても良く、また段毎に異なっていても良い。
【００５６】
図５に示される第１の色変換手段２２は、第１段の表示ユニット４０ａ〜４０ｉ相互間に発生する輝度及び色度のばらつきをなくすことを目的とした、輝度及び色度の変換を行うものであり、第１の記憶手段２３には、第１の色変換手段２２で行う色変換（輝度及び色度の変換）のためのパラメータ（第１の輝度色度変換パラメータ）Ｐ１を含む情報が格納されている。第１の色変換用のパラメータＰ１は、第１段の表示ユニット４０ａ〜４０ｉ相互間に発生する輝度及び色度のばらつきをなくすことを目的としたもので、表示ユニット４０〜４０ｉの表示特性情報に基づいて表示ユニット毎に求められたものである。
【００５７】
図６に示される第（ｎ＋１）の色変換手段４３は、第（ｎ＋１）段の表示ユニット６０ａ〜６０ｉ相互間に発生する輝度及び色度のばらつきをなくすことを目的とした、輝度及び色度の変換を行うものであり、第（ｎ＋１）の記憶手段４４には、第（ｎ＋１）の色変換手段４３で行う色変換（輝度及び色度の変換）のためのパラメータ（第（ｎ＋１）の輝度色度変換パラメータ）Ｐｏを含む情報が格納されている。第（ｎ＋１）の色変換用のパラメータ（Ｐｏ）は、第（ｎ＋１）段の表示ユニット６０ａ〜６０ｉ相互間に発生する輝度及び色度のばらつきをなくすことを目的としたもので、第（ｎ＋１）段の表示ユニット６０ａ〜６０ｉの表示特性情報に基づいて表示ユニット毎に求められたものである。
【００５８】
図７に示される第（Ｎ＋１）の色変換手段５３は、第Ｎ段の表示ユニット７０ａ〜７０ｉの各々の内部に発生する輝度及び色度のばらつきをなくすことを目的とした、輝度及び色度の変換を行うものであり、第（Ｎ＋１）の記憶手段５４には、第（Ｎ＋１）の色変換手段５２で行う色変換（輝度及び色度の変換）のためのパラメータ（第（Ｎ＋１）の輝度色度変換パラメータ）ＰＯを含む情報が格納されている。第（Ｎ＋１）の輝度色度変換パラメータＰＯは、第Ｎ段の表示ユニット７０ａ〜７０ｉの各々の内部に発生する輝度及び色度のばらつきをなくすことを目的とし、発光素子の色彩特性情報に基づいて画素毎に求められたものである。
【００５９】
第１の階調変換手段２４ｂにおける階調変換方法は、既述の階調変換手段２４と同様であるため、記述を省略する。
【００６０】
（Ｂ）  第ｎの逆階調変換手段４２における逆階調変換方法
第ｎの逆階調変換手段４２では、式（７）に示すように、画像データＤｍにかかっている階調変換を元に戻すように逆階調変換することで、輝度に対して線形な画像データＤｎを出力する。式（７）で、Ｃｍは、画像データＤｍの赤、緑、青各色の信号値であり、Ｃｎは、画像データＤｎの赤、緑、青各色の信号値である。また、式（７）で、ＣＭＡＸは、発光部３７を構成する発光素子の発光量を最大にした時の画像データＤｍの信号値である。
【００６１】
【数７】
2006292806.tif 000009
【００６２】
式（７）に示す変換を行うことで、画像データＤｍの信号値Ｃｍの低い部分と比較して、画像データＤｎの信号値Ｃｎの低い部分で、隣り合う信号値同士の間隔が狭まる。これにより、画像データＤｍが画像データ受信部４１まで伝送してきた時に発生した雑音を低減させることが可能になる。
【００６３】
（Ｃ）  第（ｎ＋１）の色変換手段４３における輝度色度変換方法
第（ｎ＋１）の色変換手段４３では、式（８）に示すように、３×１の行列の形で表された画像データＤｎを、３×３の行列Ｈｎ＋１で変換することで、３×１の行列の形で表された画像データＤｏを導出する。式（８）で、Ｒｎは画像データＤｎの赤色の信号値であり、Ｇｎは画像データＤｎの緑色の信号値であり、Ｂｎは画像データＤｎの青色の信号値であり、Ｒｎ＋１は画像データＤｏの赤色の信号値であり、Ｇｎ＋１は画像データＤｏの緑色の信号値であり、Ｂｎ＋１は画像データＤｏの青色の信号値である。
【００６４】
【数８】
2006292806.tif 000010
【００６５】
（Ｄ）  第（ｎ＋１）の輝度色度変換パラメータＰｏの設定方法
式（８）で、３×３の行列Ｈｎ＋１で画像データを変換するためには、第（ｎ＋１）の輝度色度変換パラメータＰｏを３×３の行列Ｈｎ＋１で表す必要がある。以下、その設定方法について説明する。
【００６６】
３×３の行列Ｈｎ＋１は式（９）のように設定される。式（９）で、ＸＲｔａｒｇｅｔｎ＋２，ＹＲｔａｒｇｅｔｎ＋２，ＺＲｔａｒｇｅｔｎ＋２は赤色の第（ｎ＋１）段の表示ユニット６０ａ〜６０ｉ内部のターゲット色の三刺激値であり、ＸＧｔａｒｇｅｔｎ＋２，ＹＧｔａｒｇｅｔｎ＋２，ＺＧｔａｒｇｅｔｎ＋２は緑色の第（ｎ＋１）段の表示ユニット６０ａ〜６０ｉ内部のターゲット色の三刺激値であり、ＸＢｔａｒｇｅｔｎ＋２，ＹＢｔａｒｇｅｔｎ＋２，ＺＢｔａｒｇｅｔｎ＋２は青色の第（ｎ＋１）段の表示ユニット６０ａ〜６０ｉ内部のターゲット色の三刺激値であり、ＸＲｔａｒｇｅｔｎ＋１，ＹＲｔａｒｇｅｔｎ＋１，ＺＲｔａｒｇｅｔｎ＋１は赤色の第（ｎ＋１）段の表示ユニット６０ａ〜６０ｉ間のターゲット色の三刺激値であり、ＸＧｔａｒｇｅｔｎ＋１，ＹＧｔａｒｇｅｔｎ＋１，ＺＧｔａｒｇｅｔｎ＋１は緑色の第（ｎ＋１）段の表示ユニット６０ａ〜６０ｉ間のターゲット色の三刺激値であり、ＸＢｔａｒｇｅｔｎ＋１，ＹＢｔａｒｇｅｔｎ＋１，ＺＢｔａｒｇｅｔｎ＋１は青色の第（ｎ＋１）段の表示ユニット６０ａ〜６０ｉ間のターゲット色の三刺激値である。
【００６７】
【数９】
2006292806.tif 000011
【００６８】
第（ｎ＋１）段の表示ユニット６０ａ〜６０ｉ間におけるばらつきをなくすために輝度及び色度の変換をした後に第（ｎ＋１）段の表示ユニット６０ａ〜６０ｉ内部におけるばらつきをなくすために輝度及び色度の変換をする。このため、式（９）に示すように、３×３の行列Ｈｎ＋１は、第（ｎ＋１）段の表示ユニット６０ａ〜６０ｉ内部のターゲット色の三刺激値と第（ｎ＋１）段の表示ユニット６０ａ〜６０ｉ間のターゲット色の三刺激値で構成される。
【００６９】
式（９）で、ＸＲｔａｒｇｅｔｎ＋２，ＹＲｔａｒｇｅｔｎ＋２，ＺＲｔａｒｇｅｔｎ＋２，ＸＧｔａｒｇｅｔｎ＋２，ＹＧｔａｒｇｅｔｎ＋２，ＺＧｔａｒｇｅｔｎ＋２，ＸＢｔａｒｇｅｔｎ＋２，ＹＢｔａｒｇｅｔｎ＋２，ＺＢｔａｒｇｅｔｎ＋２は、第（ｎ＋１）段の表示ユニット６０ａ〜６０ｉ毎に異なる値をとる。このため、第（ｎ＋１）の輝度色度変換パラメータＰｏは第（ｎ＋１）段の表示ユニット６０ａ〜６０ｉ毎に異なる行列をとるので、第（ｎ＋１）段の表示ユニット６０ａ〜６０ｉ毎に第（ｎ＋１）の輝度色度変換パラメータＰｏを切り替える必要がある。
【００７０】
（Ｅ）  第（ｎ＋１）の階調変換手段４５おける階調変換方法
第（ｎ＋１）の階調変換手段４５では、式（１０）に示すように、輝度に対して線形な画像データＤｏを画像データＤｐに階調変換する。式（１０）で、Ｃｏは、画像データＤｏの赤、緑、青各色の信号値であり、Ｃｐは、画像データＤｐの赤、緑、青各色の信号値である。また、式（１０）で、ＣＭＡＸは、発光部５７を構成する発光素子の発光量を最大にした時の画像データＤｏの信号値である。
【００７１】
【数１０】
2006292806.tif 000012
【００７２】
式（１０）に示す変換を行うことで、画像データＤｏの信号値Ｃｏの低い部分と比較して、画像データＤｐの信号値Ｃｐの低い部分で、隣り合う信号値同士の間隔が広がる。これにより、画像データＤｏの信号値Ｃｏの低い部分の画質を下げることなく、画像データＤｐの伝送容量を画像データＤｏよりも少なくすることが可能になる。
【００７３】
（Ｆ）  第Ｎの逆階調変換手段５２における逆階調変換方法
第Ｎの逆階調変換手段５２では、式（１１）に示すように、画像データＤＭにかかっている階調変換を元に戻すように逆階調変換することで、輝度に対して線形な画像データＤＮを出力する。式（１１）で、ＣＭは、画像データＤＭの赤、緑、青各色の信号値であり、ＣＮは、画像データＤＮの赤、緑、青各色の信号値である。また、式（１１）で、ＣＭＡＸは、発光部５７を構成する発光素子の発光量を最大にした時の画像データＤＭの信号値である。
【００７４】
【数１１】
2006292806.tif 000013
【００７５】
式（１１）に示す変換を行うことで、画像データＤＭの信号値ＣＭの低い部分と比較して、画像データＤＮの信号値ＣＮの低い部分で、隣り合う信号値同士の間隔が狭まる。これにより、画像データＤＭが画像データ受信部５１まで伝送してきた時に発生した雑音を低減させることが可能になる。
【００７６】
（Ｇ）  第（Ｎ＋１）の色変換手段５３における輝度色度変換方法
第（Ｎ＋１）の色変換手段５３では、式（１２）に示すように、３×１の行列の形で表された画像データＤＮを、３×３の行列ＨＮ＋１で変換することで、３×１の行列の形で表された画像データＤＯを導出する。式（１２）で、ＲＮは画像データＤＮの赤色の信号値であり、ＧＮは画像データＤＮの緑色の信号値であり、ＢＮは画像データＤＮの青色の信号値であり、ＲＮ＋１は画像データＤＯの赤色の信号値であり、ＧＮ＋１は画像データＤＯの緑色の信号値であり、ＢＮ＋１は画像データＤＯの青色の信号値である。
【００７７】
【数１２】
2006292806.tif 000014
【００７８】
（Ｈ）  第（Ｎ＋１）の輝度色度変換パラメータＰＯの設定方法
式（１２）で、３×３の行列ＨＮ＋１で画像データを変換するためには、第（Ｎ＋１）の輝度色度変換パラメータＰＯを３×３の行列ＨＮ＋１で表す必要がある。以下、その設定方法について説明する。
【００７９】
３×３の行列ＨＮ＋１は式（１３）のように設定される。式（１３）で、ＸＲｍｅａｓ，ＹＲｍｅａｓ，ＺＲｍｅａｓは発光部５７を構成する赤色の発光素子の発光量を最大にして、緑色及び青色の発光素子の発光量をゼロにした場合の三刺激値の測定値であり、ＸＧｍｅａｓ，ＹＧｍｅａｓ，ＺＧｍｅａｓは発光部５７を構成する緑色の発光素子の発光量を最大にして、赤色及び青色の発光素子の発光量をゼロにした場合の三刺激値の測定値であり、ＸＢｍｅａｓ，ＹＢｍｅａｓ，ＺＢｍｅａｓは発光部５７を構成する青色の発光素子の発光量を最大にして、赤色及び緑色の発光素子の発光量をゼロにした場合の三刺激値の測定値であり、ＸＲｔａｒｇｅｔＮ＋１，ＹＲｔａｒｇｅｔＮ＋１，ＺＲｔａｒｇｅｔＮ＋１は赤色の第Ｎ段の表示ユニット７０ａ〜７０ｉ内部のターゲット色の三刺激値であり、ＸＧｔａｒｇｅｔＮ＋１，ＹＧｔａｒｇｅｔＮ＋１，ＺＧｔａｒｇｅｔＮ＋１は緑色の第Ｎ段の表示ユニット７０ａ〜７０ｉ内部のターゲット色の三刺激値であり、ＸＢｔａｒｇｅｔＮ＋１，ＹＢｔａｒｇｅｔＮ＋１，ＺＢｔａｒｇｅｔＮ＋１は青色の第Ｎ段の表示ユニット７０ａ〜７０ｉ内部のターゲット色の三刺激値である。
【００８０】
【数１３】
2006292806.tif 000015
【００８１】
式（１３）で、ＸＲｍｅａｓ，ＹＲｍｅａｓ，ＺＲｍｅａｓ，ＸＧｍｅａｓ，ＹＧｍｅａｓ，ＺＧｍｅａｓ，ＸＢｍｅａｓ，ＹＢｍｅａｓ，ＺＢｍｅａｓは、発光部５７の素子番号ＫＯ毎に異なる値をとる。このため、第（Ｎ＋１）の輝度色度変換パラメータＰＯは発光部５７の素子番号ＫＯ毎に異なる行列をとるので、発光部５７の素子番号ＫＯ毎に第（Ｎ＋１）の輝度色度変換パラメータＰＯを切り替える必要がある。
【００８２】
このように、表示モジュール２０Ｂに対して第１の色変換手段２２を備え、表示ユニット５０ａ〜５０ｉ内に第（ｎ＋１）の色変換手段４３を備え、表示ユニット７０ａ〜７０ｉ内に第（Ｎ＋１）の色変換手段５３を備えることにより、表示モジュール２０Ｂ全体の輝度及び色度を調整でき、表示装置１０００Ｂ全体として均一な色調の画像を得ることができる。
【００８３】
また、表示ユニット５０ａ〜５０ｉ毎に第（ｎ＋１）の色変換手段４３を備えることにより、表示ユニット５０ａ〜５０ｉのいずれかを交換した時に、交換した表示ユニット（５０ａ〜５０ｉのいずれか）の１段前の表示ユニットに備えられた第ｎの輝度色度変換パラメータと、交換した表示ユニット（５０ａ〜５０ｉのいずれか）に備えられた第（ｎ＋１）の輝度色度変換パラメータＰｏを書き換えるだけで、表示装置１０００Ｂの色調を再調整できる。
【００８４】
この効果により、例えば、工場や実験室内で交換する表示ユニット（例えば５０ａ）内部の輝度及び色度を調整した上で、表示ユニット（５０ａ）を据え付け場所に持って行き、表示モジュール２０Ｂに組み込んでから、表示モジュール２０Ｂ全体の輝度及び色度を調整することも可能になる。
【００８５】
さらに、複数個の表示ユニット５０ａ〜５０ｉを組み合わせて表示モジュール２０Ｂを構成する場合に、第（ｎ＋１）の色変換手段４３で表示ユニット５０ａ〜５０ｉ毎に輝度及び色度を調整してから、表示ユニット５０ａ〜５０ｉを組み合わせて第１の色変換手段２２で表示モジュール２０Ｂ全体の輝度及び色度を調整することが可能になり、表示モジュール２０Ｂ全体の輝度及び色度を一括して調整する時と比較して、表示モジュール２０Ｂ全体の輝度及び色度の調整が容易になる。
【００８６】
この効果により、例えば、工場や実験室内で表示ユニット５０ａ〜５０ｉ内部の輝度及び色度を調整した上で、表示ユニット５０ａ〜５０ｉを据え付け場所に持って行き、表示モジュール２０Ｂを組み立ててから、表示モジュール２０Ｂ全体の輝度及び色度を調整することも可能になる。
【００８７】
また、発光部５７を構成する画素の個数等、組み合わせる表示ユニット５０ａ〜５０ｉの構成に関わらず、表示モジュール２０Ｂ全体の輝度及び色度を調整することが容易となる。
【００８８】
さらに、第１の色変換手段２２の後に第１の階調変換手段２４ｂを備え、第（ｎ＋１）の色変換手段４３の前に第ｎの逆階調変換手段４２を備え、第（ｎ＋１）の色変換手段４３の後に第（ｎ＋１）の階調変換手段４５を備え、第（Ｎ＋１）の色変換手段５３の前に第Ｎの逆階調変換手段５２を備えることにより、画像データＤ１の信号値Ｃ１の低い部分の画質を下げることなく、画像データＤ２，Ｄｐの伝送容量を画像データＤ１よりも少なくすることが可能になる。
【００８９】
また、第（ｎ＋１）の色変換手段４３の前に第ｎの逆階調変換手段４２を備えることにより、画像データＤｍが表示ユニット間を伝送している時に発生する雑音を低減させることが可能になる。
【００９０】
実施の形態３．
実施の形態１の表示装置１０００では、表示ユニット３０ａ〜３０ｉ内部に輝度及び色度の変換を行う第２の色変換手段３３を設けたが、代わりに、輝度の変換を行い色度の変換を行わない第２の色変換手段３８を設けても良い。
すなわち、表示ユニット３０ａ〜３０ｉ内部では輝度のみ変換する構成にすることも可能である。以下、その具体的な方法について説明する。
【００９１】
（Ａ）  表示装置１０００Ｃの構成
図８は本発明の実施の形態３の表示装置１０００Ｃを示す模式的な構成図である。図８に示すように、表示装置１０００Ｃは、表示モジュール２０Ｃと、既述の画像データ生成部１０とを備える。
【００９２】
表示モジュール２０Ｃは、例えばマトリックス状に配置された表示ユニット８０ａ〜８０ｉと、既述の画像データ受信部２１と、既述の第１の色変換手段２２と、既述の第１の記憶手段２３と、既述の階調変換手段２４と、既述の画像データ送信部２５とを備える。
【００９３】
表示ユニット８０ａ〜８０ｉの各々は、図９に示されるように構成されている。図示の表示ユニットは、図２に示す表示ユニット（３０ａ〜３０ｉの各々）と同様であるが、第２の色変換手段３３の代りに、第２の色変換手段３８を備える。
【００９４】
図８に示される第１の色変換手段２２は、表示ユニット８０ａ〜８０ｉ相互間に発生する輝度及び色度のばらつきをなくすことを目的とした、輝度および色度の変換を行うものであり、第１の記憶手段２３には、第１の色変換手段２２で行う色変換（輝度及び色度の変換）のためのパラメータ（第１の輝度色度変換パラメータ）Ｐ３が格納されている。第１の色変換用のパラメータＰ３は、表示ユニット８０ａ〜８０ｉ相互間に発生する輝度及び色度のばらつきをなくすことを目的としたもので、表示ユニット８０〜８０ｉの表示特性情報に基づいて表示ユニット毎に求められたものである。
【００９５】
図９に示される第２の色変換手段３７は、表示ユニット８０ａ〜８０ｉの各々の内部に発生する輝度のばらつきをなくすことを目的とした、輝度のみの変換を行うものであり、第２の記憶手段３４には、第２の色変換手段３８で行う色変換（輝度の変換）のためのパラメータ（第２の輝度変換パラメータ）Ｐ４を含む情報が格納されている。第２の輝度色度変換パラメータＰ４は、表示ユニット８０ａ〜８０ｉの各々の内部に発生する輝度のばらつきをなくすことを目的とし、発光素子の色彩特性情報に基づいて画素毎に求められたものである。
【００９６】
機器番号Ｉ１に該当する表示ユニット（８０ａ〜８０ｉのいずれか）内部の画像データ受信部３１は、画像データＤ２を受信して逆階調変換手段３２へ受け渡し、これとともに画像データ受信部３１内で生成した発光部３７の素子番号Ｋ４を第２の記憶手段３４に送信する。逆階調変換手段３２は、階調変換後の画像データＤ２にかかっている階調変換を元に戻すように逆階調変換することで輝度に対して線形な画像データＤ３に変換し、画像データＤ３を第２の色変換手段３８に出力する。第２の色変換手段３８は、画像データＤ３と共に第２の記憶手段３４が送信する発光部３７の素子番号Ｋ４とそれに対応する第２の輝度変換パラメータＰ４を受信する。そして、第２の輝度変換パラメータＰ４に基づいて画像データＤ３の輝度を変換し、変換後の画像データＤ６と発光部３７の素子番号Ｋ４を出力する。画像データ変換部３５は画像データＤ６と発光部３７の素子番号Ｋ４を受信して、画像データＤ６を発光部３７の表示素子（ここではＬＥＤ）に適した駆動信号Ｄ７に変換し、これと発光部３７の素子番号Ｋ４を出力する。駆動部３６は、駆動信号Ｄ７に基づいて、発光部３７を構成する発光素子の中で発光部３７の素子番号Ｋ４に該当するものを駆動する。
【００９７】
第２の輝度変換パラメータＰ４を用いて画像データＤ３を画像データＤ６に変換することで、画像データＤ３を表示ユニット８０ａ〜８０ｉに出力させた時に表示ユニット８０ａ〜８０ｉ内部で発生する輝度のばらつきをなくすことができる。このばらつきをなくすために、第２の輝度変換パラメータＰ４には、画像データＤ６を表示ユニット８０ａ〜８０ｉに出力させた時の輝度のターゲット値の情報が含まれている。また、第２の記憶手段３４に記憶されている第２の輝度変換パラメータＰ４は、発光部３７の素子番号Ｋ２毎に切り替えられるような構成になっている。
【００９８】
以上に示したように、表示ユニット８０ａ〜８０ｉ毎に第２の色変換手段３８を備えることにより、表示ユニット８０ａ〜８０ｉのいずれかを交換した時に、第１の輝度色度変換パラメータＰ１と、交換した表示ユニット（８０ａ〜８０ｉのいずれか）に備えられた第２の輝度変換パラメータＰ４を書き換えるだけで、表示装置１０００Ｃの色調を再調整できる。
【００９９】
（Ｂ）  第１の色変換手段２２における輝度色度変換方法
第１の色変換手段２２では、式（１４）に示すように、３×１の行列の形で表された画像データＤを、３×３の行列Ｈ３で変換することで、３×１の行列の形で表された画像データＤ１を導出する。式（１４）で、Ｒ０は画像データＤの赤色の信号値であり、Ｇ０は画像データＤの緑色の信号値であり、Ｂ０は画像データＤの青色の信号値であり、Ｒ１は画像データＤ１の赤色の信号値であり、Ｇ１は画像データＤ１の緑色の信号値であり、Ｂ１は画像データＤ１の青色の信号値である。
【０１００】
【数１４】
2006292806.tif 000016
【０１０１】
（Ｃ）  第１の輝度色度変換パラメータＰ３の設定方法
式（１４）で、３×３の行列Ｈ３で画像データを変換するためには、第１の輝度色度変換パラメータＰ３を３×３の行列Ｈ３で表す必要がある。以下、その設定方法について説明する。
【０１０２】
３×３の行列Ｈ３は式（１５）のように設定される。式（１５）で、ＸＲｔａｒｇｅｔ４，ＹＲｔａｒｇｅｔ４，ＺＲｔａｒｇｅｔ４は赤色の表示ユニット８０ａ〜８０ｉ内部のターゲット色の三刺激値であり、ＸＧｔａｒｇｅｔ４，ＹＧｔａｒｇｅｔ４，ＺＧｔａｒｇｅｔ４は緑色の表示ユニット４０ａ〜４０ｉ内部のターゲット色の三刺激値であり、ＸＢｔａｒｇｅｔ４，ＹＢｔａｒｇｅｔ４，ＺＢｔａｒｇｅｔ４は青色の表示ユニット８０ａ〜８０ｉ内部のターゲット色の三刺激値であり、ＸＲｔａｒｇｅｔ１，ＹＲｔａｒｇｅｔ１，ＺＲｔａｒｇｅｔ１は赤色の表示ユニット８０ａ〜８０ｉ間のターゲット色の三刺激値であり、ＸＧｔａｒｇｅｔ１，ＹＧｔａｒｇｅｔ１，ＺＧｔａｒｇｅｔ１は緑色の表示ユニット８０ａ〜８０ｉ間のターゲット色の三刺激値であり、ＸＢｔａｒｇｅｔ１，ＹＢｔａｒｇｅｔ１，ＺＢｔａｒｇｅｔ１は青色の表示ユニット８０ａ〜８０ｉ間のターゲット色の三刺激値である。
【０１０３】
【数１５】
2006292806.tif 000017
【０１０４】
表示ユニット８０ａ〜８０ｉ間におけるばらつきをなくすために輝度及び色度の変換をした後に表示ユニット８０ａ〜８０ｉ内部におけるばらつきをなくすために輝度及び色度の変換をする。このため、式（１５）に示すように、３×３の行列Ｈ３は、表示ユニット８０ａ〜８０ｉ内部のターゲット色の三刺激値と表示ユニット８０ａ〜８０ｉ間のターゲット色の三刺激値で構成される。
【０１０５】
式（１５）で、ＸＲｔａｒｇｅｔ４，ＹＲｔａｒｇｅｔ４，ＺＲｔａｒｇｅｔ４，ＸＧｔａｒｇｅｔ４，ＹＧｔａｒｇｅｔ４，ＺＧｔａｒｇｅｔ４，ＸＢｔａｒｇｅｔ４，ＹＢｔａｒｇｅｔ４，ＺＢｔａｒｇｅｔ４は、表示ユニット８０ａ〜８０ｉ毎に異なる値をとる。このため、第１の輝度色度変換パラメータＰ３は表示ユニット８０ａ〜８０ｉ毎に異なる行列をとるので、表示ユニット８０ａ〜８０ｉ毎に第１の輝度色度変換パラメータＰ３を切り替える必要がある。
【０１０６】
また、表示ユニット８０ａ〜８０ｉの中で、一つの表示ユニット（例えば８０ａ）を交換する時に、表示ユニット８０ａ〜８０ｉ間のターゲット色の三刺激値を変えない場合、第１の輝度色度変換パラメータＰ３の中で書き換える必要のある部分は、交換した表示ユニット（８０ａ）の機器番号Ｉ１に対応する部分のみである。
【０１０７】
表示ユニット８０ａ〜８０ｉ内部のターゲット色の三刺激値の設定方法として、例えば、以下に示す方法が挙げられる。
【０１０８】
まず、ＹＲｔａｒｇｅｔ４，ＹＧｔａｒｇｅｔ４，ＹＢｔａｒｇｅｔ４として、前述のように、発光部３７を構成する全ての発光素子におけるＹＲｍｅａｓ，ＹＧｍｅａｓ，ＹＢｍｅａｓの最小値を設定する。
次に、赤色の表示ユニット８０ａ〜８０ｉ内部のターゲット色の色度ｘＲｔａｒｇｅｔ４，ｙＲｔａｒｇｅｔ４として、発光部３７を構成する赤色の発光素子の発光量を最大にして、緑色及び青色の発光素子の発光量をゼロにした場合の色度の測定値ｘＲｍｅａｓ，ｙＲｍｅａｓの平均値を設定する。
【０１０９】
また、緑色の表示ユニット８０ａ〜８０ｉ内部のターゲット色の色度ｘＧｔａｒｇｅｔ４，ｙＧｔａｒｇｅｔ４として、発光部３７を構成する緑色の発光素子の発光量を最大にして、赤色及び青色の発光素子の発光量をゼロにした場合の色度の測定値ｘＧｍｅａｓ，ｙＧｍｅａｓの平均値を設定する。さらに、青色の表示ユニット８０ａ〜８０ｉ内部のターゲット色の色度ｘＢｔａｒｇｅｔ４，ｙＢｔａｒｇｅｔ４として、発光部３７を構成する青色の発光素子の発光量を最大にして、赤色及び緑色の発光素子の発光量をゼロにした場合の色度の測定値ｘＢｍｅａｓ，ｙＢｍｅａｓの平均値を設定する。
【０１１０】
最後に、ＸＲｔａｒｇｅｔ４，ＺＲｔａｒｇｅｔ４，ＸＧｔａｒｇｅｔ４，ＺＧｔａｒｇｅｔ４，ＸＢｔａｒｇｅｔ４，ＺＢｔａｒｇｅｔ４を、式（１６）から導出する。
【０１１１】
【数１６】
2006292806.tif 000018
【０１１２】
（Ｄ）  第２の色変換手段３８における輝度変換方法
第２の色変換手段３８では、式（１７）に示すように、３×１の行列の形で表された画像データＤ３を、３×３の行列Ｈ４で変換することで、３×１の行列の形で表された画像データＤ６を導出する。式（１７）で、Ｒ３は画像データＤ３の赤色の信号値であり、Ｇ３は画像データＤ３の緑色の信号値であり、Ｂ３は画像データＤ３の青色の信号値であり、Ｒ６は画像データＤ６の赤色の信号値であり、Ｇ６は画像データＤ６の緑色の信号値であり、Ｂ６は画像データＤ６の青色の信号値である。
【０１１３】
【数１７】
2006292806.tif 000019
【０１１４】
（Ｅ）  第２の輝度変換パラメータＰ４の設定方法
式（１７）で、３×３の行列Ｈ４で画像データを変換するためには、第２の輝度変換パラメータＰ４を３×３の行列Ｈ４で表す必要がある。以下、その設定方法について説明する。
【０１１５】
３×３の行列Ｈ４は、式（１８）のように設定される。式（１８）で、ＹＲｍｅａｓは発光部３７を構成する赤色の発光素子の発光量を最大にして、緑色及び青色の発光素子の発光量をゼロにした場合の輝度の測定値であり、ＹＧｍｅａｓは発光部３７を構成する緑色の発光素子の発光量を最大にして、赤色及び青色の発光素子の発光量をゼロにした場合の輝度の測定値であり、ＹＢｍｅａｓは発光部３７を構成する青色の発光素子の発光量を最大にして、赤色及び緑色の発光素子の発光量をゼロにした場合の輝度の測定値であり、ＹＲｔａｒｇｅｔ４は赤色の表示ユニット８０ａ〜８０ｉ内部のターゲット色の輝度であり、ＹＧｔａｒｇｅｔ４は緑色の表示ユニット８０ａ〜８０ｉ内部のターゲット色の輝度であり、ＹＢｔａｒｇｅｔ４は青色の表示ユニット８０ａ〜８０ｉ内部のターゲット色の輝度である。
【０１１６】
【数１８】
2006292806.tif 000020
【０１１７】
式（１８）で、ＹＲｍｅａｓ，ＹＧｍｅａｓ，ＹＢｍｅａｓは、発光部３７の素子番号Ｋ４毎に異なる値をとる。このため、第２の輝度変換パラメータＰ４は発光部３７の素子番号Ｋ４毎に異なる行列をとるので、発光部３７の素子番号Ｋ４毎に第２の輝度変換パラメータＰ４を切り替える必要がある。
【０１１８】
式（１８）で、ＹＲｔａｒｇｅｔ４，ＹＧｔａｒｇｅｔ４，ＹＢｔａｒｇｅｔ４の設定方法としては、例えば、発光部３７を構成する全ての発光素子におけるＹＲｍｅａｓ，ＹＧｍｅａｓ，ＹＢｍｅａｓの最小値をとる方法が挙げられる。
【０１１９】
このように、表示モジュール２０Ｃに対して第１の色変換手段２２を備え、表示ユニット８０ａ〜８０ｉ内に第２の色変換手段３８を備えることにより、表示モジュール２０Ｃ全体の輝度及び色度を調整でき、表示装置１０００Ｃ全体として均一な色調の画像を得ることができる。
【０１２０】
また、表示ユニット８０ａ〜８０ｉ毎に第２の色変換手段３８を備えることにより、表示ユニット８０ａ〜８０ｉのいずれかを交換した時に、第１の輝度色度変換パラメータＰ１と、交換した表示ユニット（８０ａ〜８０ｉのいずれか）に備えられた第２の輝度変換パラメータＰ４を書き換えるだけで、表示装置１０００Ｃの色調を再調整できる。
【０１２１】
この効果により、例えば、工場や実験室内で交換する表示ユニット（例えば８０ａ）内部の輝度を調整した上で、表示ユニット（８０ａ）を据え付け場所に持って行き、表示モジュール２０Ｃに組み込んでから、表示モジュール２０Ｃ全体の輝度及び色度を調整することも可能になる。
【０１２２】
さらに、複数個の表示ユニット８０ａ〜８０ｉを組み合わせて表示モジュール２０Ｃを構成する場合に、第２の色変換手段３８で表示ユニット８０ａ〜８０ｉ毎に輝度を調整してから、表示ユニット８０ａ〜８０ｉを組み合わせて第１の色変換手段２２で表示モジュール２０Ｃ全体の輝度及び色度を調整することが可能になり、表示モジュール２０Ｃ全体の輝度及び色度を一括して調整する時と比較して、表示モジュール２０Ｃ全体の輝度及び色度の調整が容易になる。
【０１２３】
この効果により、例えば、工場や実験室内で表示ユニット８０ａ〜８０ｉ内部の輝度を調整した上で、表示ユニット８０ａ〜８０ｉを据え付け場所に持って行き、表示モジュール２０Ｃを組み立ててから、表示モジュール２０Ｃ全体の輝度及び色度を調整することも可能になる。
【０１２４】
また、発光部３７を構成する画素の個数等、組み合わせる表示ユニット８０ａ〜８０ｉの構成に関わらず、表示モジュール２０Ｃ全体の輝度及び色度を調整することが容易となる。
【０１２５】
さらに、第１の色変換手段２２の後に階調変換手段２４を備え、第２の色変換手段３８の前に逆階調変換手段３２を備えることにより、画像データＤ１の信号値Ｃ１の低い部分の画質を下げることなく、画像データＤ２の伝送容量を画像データＤ１よりも少なくすることが可能になる。
【０１２６】
また、第２の色変換手段３８の前に逆階調変換手段３２を備えることにより、画像データＤ２が画像データ送信部２５から画像データ受信部３１に伝送している時に発生する雑音を低減させることが可能になる。
【０１２７】
実施の形態４．
実施の形態３の表示装置１０００Ｃにおいては、表示モジュール２０Ｃ内部に表示ユニット８０ａ〜８０ｉを１段だけ設けて、表示ユニット８０ａ〜８０ｉ内部に第２の色変換手段３８を設けたが、表示ユニットを複数段設けて、各段の表示ユニットに対して色変換手段を設けてもよい。以下、表示ユニットをＮ段（Ｎは２以上の整数）設けると仮定して、その具体的な方法について説明する。
【０１２８】
（Ａ）  表示装置１０００Ｄの構成
図１０は本発明の実施の形態４の表示装置１０００Ｄを示す模式的な構成図である。図１０に示すように、表示装置１０００Ｄは、表示モジュール２０Ｄと、既述の画像データ生成部１０とを備える。また、表示モジュール２０Ｄは、例えばマトリックス状に配置された第１段の表示ユニット９０ａ〜９０ｉと、既述の画像データ受信部２１と、既述の第１の色変換手段２２と、既述の第１の記憶手段２３と、既述の第１の階調変換手段２４ｂと、既述の画像データ送信部２５とを備える。
【０１２９】
第ｎ段（ｎは、１≦ｎ≦Ｎ−１を満たす整数）の表示ユニット１００ａ〜１００ｉの各々は、図１１に示すように、例えばマトリックス状に配置された第（ｎ＋１）段の表示ユニット１１０ａ〜１１０ｉと、既述の画像データ受信部４１と、既述の第ｎの逆階調変換手段４２と、第（ｎ＋１）の色変換手段４７と、既述の第（ｎ＋１）の記憶手段４４と、既述の第（ｎ＋１）の階調変換手段４５と、既述の画像データ送信部４６とを備える。
【０１３０】
第Ｎ段の表示ユニット１２０ａ〜１２０ｉの各々は、図１２に示すように、既述の画像データ受信部５１と、既述の第Ｎの逆階調変換手段５２と、第（Ｎ＋１）の色変換手段５８と、既述の第（Ｎ＋１）の記憶手段５４と、既述の画像データ変換部５５と、既述の駆動部５６と、既述の発光部５７を備える。
【０１３１】
図１０に示される第１の色変換手段２２は、第１段の表示ユニット９０ａ〜９０ｉ相互間に発生する輝度及び色度のばらつきをなくすことを目的とした、輝度及び色度の変換を行うものであり、第１の記憶手段２３には、第１の色変換手段２２で行う色変換（輝度及び色度の変換）のためのパラメータ（第１の輝度色度変換パラメータ）Ｐ３を含む情報が格納されている。第１の色変換用のパラメータＰ３は、第１段の表示ユニット９０ａ〜９０ｉ相互間に発生する輝度及び色度のばらつきをなくすことを目的としたもので、表示ユニット９０ａ〜９０ｉの表示特性情報に基づいて表示ユニット毎に求められたものである。
【０１３２】
図１１に示される第（ｎ＋１）の色変換手段４７は、第（ｎ＋１）段の表示ユニット１１０ａ〜１１０ｉ相互間に発生する輝度のばらつきをなくすことを目的とした輝度のみの変換を行うものであり、第（ｎ＋１）の記憶手段４４には、第（ｎ＋１）の色変換手段４７で行う色変換（輝度の変換）のためのパラメータ（第（ｎ＋１）の輝度変換パラメータ）Ｐｏ’を含む情報が格納されている。第（ｎ＋１）の色変換用のパラメータＰｏ’は、第（ｎ＋１）段の表示ユニット１１０ａ〜１１０ｉ相互間に発生する輝度のばらつきをなくすことを目的としたもので、第（ｎ＋１）段の表示ユニット１１０ａ〜１１０ｉの表示特性情報に基づいて表示ユニット毎に求められたものである。
【０１３３】
図１２に示される第（Ｎ＋１）の色変換手段５８は、第Ｎ段の表示ユニット１２０ａ〜１２０ｉの各々の内部に発生する輝度のばらつきをなくすことを目的とした、輝度のみの変換を行うものであり、第（Ｎ＋１）の記憶手段５４には、第（Ｎ＋１）の色変換手段５８で行う色変換（輝度のみの変換）のためのパラメータ（第（Ｎ＋１）の輝度変換パラメータ）ＰＯ’を含む情報が格納されている。第（Ｎ＋１）の輝度変換パラメータＰＯ’は、第Ｎ段の表示ユニット１２０ａ〜１２０ｉの各々の内部に発生する輝度のばらつきをなくすことを目的とし、発光素子の色彩特性情報に基づいて画素毎に求められたものである。
【０１３４】
第１の階調変換手段２４ｂにおける階調変換方法は、実施の形態１や実施の形態３の階調変換手段２４、実施の形態２の階調変換手段２４ｂと同様であるため、記述を省略する。また、第（ｎ＋１）の階調変換手段４５における階調変換方法は、実施の形態２の階調変換手段４５と同様であるため、記述を省略する。さらに、第ｎの逆階調変換手段４２における逆階調変換方法は、実施の形態２の逆階調変換手段４２と同様であるため、記述を省略する。さらにまた、第Ｎの逆階調変換手段５２における逆階調変換方法は、実施の形態２の逆階調変換手段５２と同様であるため、記述を省略する。
【０１３５】
（Ｂ）  第（ｎ＋１）の色変換手段４７における輝度変換方法
第（ｎ＋１）の色変換手段４７では、式（１９）に示すように、３×１の行列の形で表された画像データＤｎ’を、３×３の行列Ｈｎ＋１’で変換することで、３×１の行列の形で表された画像データＤｏ’を導出する。式（１９）で、Ｒｎ’は画像データＤｎ’の赤色の信号値であり、Ｇｎ’は画像データＤｎ’の緑色の信号値であり、Ｂｎ’は画像データＤｎ’の青色の信号値であり、Ｒｎ＋１’は画像データＤｏ’の赤色の信号値であり、Ｇｎ＋１’は画像データＤｏ’の緑色の信号値であり、Ｂｎ＋１’は画像データＤｏ’の青色の信号値である。
【０１３６】
【数１９】
2006292806.tif 000021
【０１３７】
（Ｃ）  第（ｎ＋１）の輝度変換パラメータＰｏ’の設定方法
式（１９）で、３×３の行列Ｈｎ＋１’で画像データを変換するためには、第（ｎ＋１）の輝度変換パラメータＰｏを３×３の行列Ｈｎ＋１’で表す必要がある。以下、その設定方法について説明する。
【０１３８】
３×３の行列Ｈｎ＋１’は式（２０）のように設定される。式（２０）で、ＹＲｔａｒｇｅｔｎ＋２’は赤色の第（ｎ＋１）段の表示ユニット１１０ａ〜１１０ｉ内部のターゲット色の輝度であり、ＹＧｔａｒｇｅｔｎ＋２’は緑色の第（ｎ＋１）段の表示ユニット１１０ａ〜１１０ｉ内部のターゲット色の輝度であり、ＹＢｔａｒｇｅｔｎ＋２’は青色の第（ｎ＋１）段の表示ユニット１１０ａ〜１１０ｉ内部のターゲット色の輝度であり、ＹＲｔａｒｇｅｔｎ＋１’は赤色の第（ｎ＋１）段の表示ユニット１１０ａ〜１１０ｉ間のターゲット色の輝度であり、ＹＧｔａｒｇｅｔｎ＋１’は緑色の第（ｎ＋１）段の表示ユニット１１０ａ〜１１０ｉ間のターゲット色の輝度であり、ＹＢｔａｒｇｅｔｎ＋１’は青色の第（ｎ＋１）段の表示ユニット１１０ａ〜１１０ｉ間のターゲット色の輝度である。
【０１３９】
【数２０】
2006292806.tif 000022
【０１４０】
第（ｎ＋１）段の表示ユニット１１０ａ〜１１０ｉ間におけるばらつきをなくすために輝度の変換をした後に第（ｎ＋１）段の表示ユニット１１０ａ〜１１０ｉ内部におけるばらつきをなくすために輝度の変換をする。このため、式（２０）に示すように、３×３の行列Ｈｎ＋１’は、第（ｎ＋１）段の表示ユニット１１０ａ〜１１０ｉ内部のターゲット色の三刺激値と第（ｎ＋１）段の表示ユニット１１０ａ〜１１０ｉ間のターゲット色の三刺激値で構成される。
【０１４１】
式（２０）で、ＹＲｔａｒｇｅｔｎ＋２’，ＹＧｔａｒｇｅｔｎ＋２’，ＹＢｔａｒｇｅｔｎ＋２’は、第（ｎ＋１）段の表示ユニット１１０ａ〜１１０ｉ毎に異なる値をとる。このため、第（ｎ＋１）の輝度変換パラメータＰｏ’は第（ｎ＋１）段の表示ユニット１１０ａ〜１１０ｉ毎に異なる行列をとるので、第（ｎ＋１）段の表示ユニット１１０ａ〜１１０ｉ毎に第（ｎ＋１）の輝度変換パラメータＰｏ’を切り替える必要がある。
【０１４２】
（Ｄ）  第（Ｎ＋１）の色変換手段５８における輝度変換方法
第（Ｎ＋１）の色変換手段５８では、式（２１）に示すように、３×１の行列の形で表された画像データＤＮ’を、３×３の行列ＨＮ＋１’で変換することで、３×１の行列の形で表された画像データＤＯ’を導出する。式（２１）で、ＲＮ’は画像データＤＮ’の赤色の信号値であり、ＧＮ’は画像データＤＮ’の緑色の信号値であり、ＢＮ’は画像データＤＮ’の青色の信号値であり、ＲＮ＋１’は画像データＤＯ’の赤色の信号値であり、ＧＮ＋１’は画像データＤＯ’の緑色の信号値であり、ＢＮ＋１’は画像データＤＯ’の青色の信号値である。
【０１４３】
【数２１】
2006292806.tif 000023
【０１４４】
（Ｅ）  第（Ｎ＋１）の輝度変換パラメータＰＯ’の設定方法
式（２１）で、３×３の行列ＨＮ＋１’で画像データを変換するためには、第（Ｎ＋１）の輝度変換パラメータＰＯ’を３×３の行列ＨＮ＋１’で表す必要がある。以下、その設定方法について説明する。
【０１４５】
３×３の行列ＨＮ＋１’は式（２２）のように設定される。式（２２）で、ＹＲｍｅａｓは発光部５７を構成する赤色の発光素子の発光量を最大にして、緑色及び青色の発光素子の発光量をゼロにした場合の輝度の測定値であり、ＹＧｍｅａｓは発光部５７を構成する緑色の発光素子の発光量を最大にして、赤色及び青色の発光素子の発光量をゼロにした場合の輝度の測定値であり、ＹＢｍｅａｓは発光部５７を構成する青色の発光素子の発光量を最大にして、赤色及び緑色の発光素子の発光量をゼロにした場合の輝度の測定値であり、ＹＲｔａｒｇｅｔＮ＋１’は赤色の第Ｎ段の表示ユニット１２０ａ〜１２０ｉ内部のターゲット色の輝度であり、ＹＧｔａｒｇｅｔＮ＋１’は緑色の第Ｎ段の表示ユニット１２０ａ〜１２０ｉ内部のターゲット色の輝度であり、ＹＢｔａｒｇｅｔＮ＋１’は青色の第Ｎ段の表示ユニット１２０ａ〜１２０ｉ内部のターゲット色の輝度である。
【０１４６】
【数２２】
2006292806.tif 000024
【０１４７】
式（２２）で、ＹＲｍｅａｓ，ＹＧｍｅａｓ，ＹＢｍｅａｓは、発光部５７の素子番号ＫＯ’毎に異なる値をとる。このため、第（Ｎ＋１）の輝度変換パラメータＰＯ’は発光部５７の素子番号ＫＯ’毎に異なる行列をとるので、発光部５７の素子番号ＫＯ’毎に第（Ｎ＋１）の輝度変換パラメータＰＯ’を切り替える必要がある。
【０１４８】
このように、表示モジュール２０Ｄに対して第１の色変換手段２２を備え、表示ユニット１００ａ〜１００ｉ内に第（ｎ＋１）の色変換手段４７を備え、表示ユニット１２０ａ〜１２０ｉ内に第（Ｎ＋１）の色変換手段５８を備えることにより、表示モジュール２０Ｄ全体の輝度及び色度を調整でき、表示装置１０００Ｄ全体として均一な色調の画像を得ることができる。
【０１４９】
また、表示ユニット１００ａ〜１００ｉ毎に第（ｎ＋１）の色変換手段４７を備えることにより、表示ユニット１００ａ〜１００ｉのいずれかを交換した時に、交換した表示ユニット（１００ａ〜１００ｉのいずれか）の１段前の表示ユニットに備えられた第ｎの輝度変換パラメータと、交換した表示ユニット（１００ａ〜１００ｉのいずれか）に備えられた第（ｎ＋１）の輝度変換パラメータＰｏ’を書き換えるだけで、表示装置１０００Ｄの色調を再調整できる。
【０１５０】
この効果により、例えば、工場や実験室内で交換する表示ユニット（例えば１００ａ）内部の輝度を調整した上で、表示ユニット（１００ａ）を据え付け場所に持って行き、表示モジュール２０Ｄに組み込んでから、表示モジュール２０Ｄ全体の輝度及び色度を調整することも可能になる。
【０１５１】
さらに、複数個の表示ユニット１００ａ〜１００ｉを組み合わせて表示モジュール２０Ｄを構成する場合に、第（ｎ＋１）の色変換手段４７で表示ユニット１００ａ〜１００ｉ毎に輝度を調整してから、表示ユニット１００ａ〜１００ｉを組み合わせて第１の色変換手段２２で表示モジュール２０Ｄ全体の輝度及び色度を調整することが可能になり、表示モジュール２０Ｄ全体の輝度及び色度を一括して調整する時と比較して、表示モジュール２０Ｄ全体の輝度及び色度の調整が容易になる。
【０１５２】
この効果により、例えば、工場や実験室内で表示ユニット１００ａ〜１００ｉ内部の輝度を調整した上で、表示ユニット１００ａ〜１００ｉを据え付け場所に持って行き、表示モジュール２０Ｄを組み立ててから、表示モジュール２０Ｄ全体の輝度及び色度を調整することも可能になる。
【０１５３】
また、発光部５７を構成する画素の個数等、組み合わせる表示ユニット１００ａ〜１００ｉの構成に関わらず、表示モジュール２０Ｄ全体の輝度及び色度を調整することが容易となる。
【０１５４】
さらに、第１の色変換手段２２の後に第１の階調変換手段２４ｂを備え、第（ｎ＋１）の色変換手段４７の前に第ｎの逆階調変換手段４２を備え、第（ｎ＋１）の色変換手段４７の後に第（ｎ＋１）の階調変換手段４５を備え、第（Ｎ＋１）の色変換手段５８の前に第Ｎの逆階調変換手段５２を備えることにより、画像データＤ１の信号値Ｃ１の低い部分の画質を下げることなく、画像データＤ２，Ｄｐ’の伝送容量を画像データＤ１よりも少なくすることが可能になる。
【０１５５】
また、第（ｎ＋１）の色変換手段４７の前に第ｎの逆階調変換手段４２を備えることにより、画像データＤｍ’が表示ユニット間を伝送している時に発生する雑音を低減させることが可能になる。
【図面の簡単な説明】
【０１５６】
【図１】本発明の実施の形態１の表示装置の模式的な構成図である。
【図２】実施の形態１における表示ユニット３０ａ〜３０ｉの各々の構成を示すブロック図である。
【図３】赤色、緑色及び青色の色調の発光ダイオードＬＲ、ＬＧ、ＬＢで構成された画素ＰＸの一例を示す図である。
【図４】本発明の実施の形態１の表示装置内の画像データ生成部の模式的な構成図である。
【図５】本発明の実施の形態２の表示装置の模式的な構成図である。
【図６】実施の形態２における第ｎ段の表示ユニット５０ａ〜５０ｉの各々の構成を示すブロック図である。
【図７】実施の形態２における第Ｎ段の表示ユニット７０ａ〜７０ｉの各々の構成を示すブロック図である。
【図８】本発明の実施の形態３の表示装置の模式的な構成図である。
【図９】実施の形態３における表示ユニット８０ａ〜８０ｉの各々の構成を示すブロック図である。
【図１０】本発明の実施の形態４の表示装置の模式的な構成図である。
【図１１】実施の形態４における第ｎ段の表示ユニット１００ａ〜１００ｉの各々の構成を示すブロック図である。
【図１２】実施の形態４における第Ｎ段の表示ユニット１１０ａ〜１１０ｉの各々の構成を示すブロック図である。
【符号の説明】
【０１５７】
１０  画像データ生成部、  １０Ｌ  伝送ライン、  １１  アナログ−デジタル変換部（Ａ／Ｄ）、  １２  画像信号処理部、  １３，２５，４６  画像データ送信部、  ２０，２０Ｂ，２０Ｃ，２０Ｄ  表示モジュール、  ２１，３１，４１，５１  画像データ受信部、  ２２  第１の色変換手段、  ２３  第１の記憶手段、  ２４  階調変換手段、  ２４ｂ  第１の階調変換手段、  ３０ａ〜３０ｉ，８０ａ〜８０ｉ  表示ユニット、  ３２  逆階調変換手段、  ３３  第２の色変換手段、  ３４  第２の記憶手段、  ３５，５５  画像データ変換部、  ３６，５６  駆動部、  ３７，５７  発光部、  ３８  第２の色変換手段、  ４０ａ〜４０ｉ，９０ａ〜９０ｉ  第１段の表示ユニット、  ４２  第ｎの逆階調変換手段、  ４３  第（ｎ＋１）の色変換手段、  ４４  第（ｎ＋１）の記憶手段、  ４５  第（ｎ＋１）の階調変換手段、  ４７  第（ｎ＋１）の色変換手段、  ５０ａ〜５０ｉ，１００ａ〜１００ｉ  第ｎ段の表示ユニット、  ５２  第Ｎの逆階調変換手段、  ５３  第（Ｎ＋１）の色変換手段、  ５４  第（Ｎ＋１）の記憶手段、  ５８  第（Ｎ＋１）の色変換手段、  ６０ａ〜６０ｉ，１１０ａ〜１１０ｉ  第（ｎ＋１）段の表示ユニット、  ７０ａ〜７０ｉ，１２０ａ〜１２０ｉ  第Ｎ段の表示ユニット、  １０００，１０００Ｂ，１０００Ｃ，１０００Ｄ  表示装置、  Ｓ  アナログの画像信号、  Ｄ，Ｄ１，Ｄ２，Ｄ３，Ｄ４，Ｄ５，Ｄｍ，Ｄｎ，Ｄｏ，Ｄｐ，ＤＭ，ＤＮ，ＤＯ，ＤＰ，Ｄ６，Ｄ７，Ｄｍ’，Ｄｎ’，Ｄｏ’，Ｄｐ’，ＤＭ’，ＤＮ’，ＤＯ’，ＤＰ’  画像データ、  Ｉ１，Ｉｏ，Ｉｏ’  機器番号、  Ｋ２，ＫＯ，Ｋ４，ＫＯ’  素子番号、  Ｐ１，Ｐ３  第１の輝度色度変換パラメータ、  Ｐ２  第２の輝度色度変換パラメータ、  Ｐｏ  第（ｎ＋１）の輝度色度変換パラメータ、  ＰＯ  第（Ｎ＋１）の輝度色度変換パラメータ、  Ｐ４  第２の輝度変換パラメータ、  Ｐｏ’  第（ｎ＋１）の輝度変換パラメータ、  ＰＯ’  第（Ｎ＋１）の輝度変換パラメータ。
【図１】
2006292806.tif 000025
【図２】
2006292806.tif 000026
【図３】
2006292806.tif 000027
【図４】
2006292806.tif 000028
【図５】
2006292806.tif 000029
【図６】
2006292806.tif 000030
【図７】
2006292806.tif 000031
【図８】
2006292806.tif 000032
【図９】
2006292806.tif 000033
【図１０】
2006292806.tif 000034
【図１１】
2006292806.tif 000035
【図１２】
2006292806.tif 000036